(57)【要約】【課題】フィルムと容器本体間の接着力を維持することができ、開封時には容易に開封することができると共に、容器本体の密閉性を長期間に亘って確保することができる揮散性薬剤容器を提供する。【解決手段】揮散性薬剤容器１０は、揮散性薬剤１１と、揮散性薬剤１１が充填される容器本体１２と、容器本体１２の開口部１３を密閉するフィルム１４と、容器本体１２の上部に取り付けられるキャップ１５と、を備え、キャップ１５と容器本体１２との間にフィルム１４を押えるための中蓋３０を設け、中蓋３０には、容器本体１２の開口部１３と略同形状の中空部３１が形成されており、中空部３１は、開口部１３の内径の８０％〜１００％の内径を有する。【選択図】図３
2007176529.tif 000002
【特許請求の範囲】
【請求項１】
揮散性薬剤と、前記揮散性薬剤が充填される容器本体と、前記容器本体の開口部を密閉するフィルムと、前記容器本体の上部に取り付けられるキャップと、を備える揮散性薬剤容器であって、
前記キャップと前記容器本体との間に前記フィルムを押えるための中蓋を設け、
前記中蓋には、前記容器本体の前記開口部と略同形状の中空部が形成されており、
前記中空部は、前記開口部の内径の８０％〜１００％の内径を有することを特徴とする揮散性薬剤容器。
【請求項２】
前記中蓋は、前記キャップに保持されることを特徴とする請求項１に記載の揮散性薬剤容器。
【請求項３】
前記中蓋は、その材質として、ポリエチレン、ポリプロピレン、ポリエチレンテレフタレートのいずれかを使用することを特徴とする請求項１又は２に記載の揮散性薬剤容器。
【請求項４】
前記容器本体は、その材質として、ポリエチレンテレフタレートを使用することを特徴とする請求項１〜３のいずれかに記載の揮散性薬剤容器。
【発明の詳細な説明】
【技術分野】
【０００１】
本発明は、忌避剤、防虫剤、芳香剤、消臭剤等の揮散性薬剤を容器に充填した揮散性薬剤容器に関する。
【背景技術】
【０００２】
従来の揮散性薬剤容器としては、揮散性薬剤が収容された容器本体に、複数の揮散口を設けたキャップを装着したもの（例えば、特許文献１参照）が知られており、この特許文献１に記載の揮散性薬剤容器では、キャップの天面板に設けられた揮散口から空気を取り入れて、同揮散口から外部に薬剤を揮散させている。
【０００３】
【特許文献１】特開２００２−１６６９８６号公報
【発明の開示】
【発明が解決しようとする課題】
【０００４】
ところで、従来の揮散性薬剤容器では、容器本体に揮散性薬剤の有効成分や香料などを吸着し易い材質を使用すると、これらが容器本体内を通過し外部に揮散してしまうため、容器本体には、揮散性薬剤の有効成分や香料などが吸着し難く、且つ美観に優れた透明度の高い材質が使用されるのが現状である。また、通常、容器本体の開口部は、揮散性薬剤の有効成分や香料などが揮散することを防ぐために、使用の際に剥がし取られるフィルムにより密閉されている。
【０００５】
しかしながら、従来の揮散性薬剤容器では、容器本体の開口部を密閉するフィルムは、樹脂製又は金属製フィルムを積層させた積層フィルムが多用されており、容器本体内部で揮散した有効成分や香料などによって、積層させたフィルム間の接着剤に悪影響を及ぼし積層させたフィルムが剥離したり、フィルムと容器本体間の接着力が低下したりすることがあった。さらに、流通時などの環境温度の変化により容器本体内の圧力が上昇すると、フィルムに膨らみが発生し、フィルムと容器本体間の接着部に剥離力が働くため、容器本体の密閉性が短期間で低下してしまう可能性があった。
【０００６】
本発明は、上述した事情に鑑みてなされたものであり、その目的は、フィルムと容器本体間の接着力を維持することができ、開封時には容易に開封することができると共に、容器本体の密閉性を長期間に亘って確保することができる揮散性薬剤容器を提供することにある。
【課題を解決するための手段】
【０００７】
本発明の上記目的は、下記構成によって達成される。
（１）  揮散性薬剤と、揮散性薬剤が充填される容器本体と、容器本体の開口部を密閉するフィルムと、容器本体の上部に取り付けられるキャップと、を備える揮散性薬剤容器であって、キャップと容器本体との間にフィルムを押えるための中蓋を設け、中蓋には、容器本体の開口部と略同形状の中空部が形成されており、中空部は、開口部の内径の８０％〜１００％の内径を有することを特徴とする揮散性薬剤容器。
（２）  中蓋は、キャップに保持されることを特徴とする（１）に記載の揮散性薬剤容器。
（３）  中蓋は、その材質として、ポリエチレン、ポリプロピレン、ポリエチレンテレフタレートのいずれかを使用することを特徴とする（１）又は（２）に記載の揮散性薬剤容器。
（４）  容器本体は、その材質として、ポリエチレンテレフタレートを使用することを特徴とする（１）〜（３）のいずれかに記載の揮散性薬剤容器。
【発明の効果】
【０００８】
本発明の揮散性薬剤容器によれば、揮散性薬剤と、揮散性薬剤が充填される容器本体と、容器本体の開口部を密閉するフィルムと、容器本体の上部に取り付けられるキャップと、を備える揮散性薬剤容器であって、キャップと容器本体との間にフィルムを押えるための中蓋を設け、中蓋には、容器本体の開口部と略同形状の中空部が形成されており、中空部は、開口部の内径の８０％〜１００％の内径を有するため、フィルムと容器本体間の接着力を維持することができ、開封時には容易に開封することができると共に、容器本体の密閉性を長期間に亘って確保することができる。
【発明を実施するための最良の形態】
【０００９】
以下、本発明に係る揮散性薬剤容器の一実施形態について、図面を参照して詳細に説明する。
図１は本発明に係る揮散性薬剤容器の一実施形態を説明するための概略斜視図、図２は図１に示す揮散性薬剤容器の側面図、図３は図１に示す揮散性薬剤容器の一部切欠側面図、図４は図３のＡ−Ａ線矢視断面図、図５は図３のＢ部拡大図、図６は図１に示すキャップの単体の一部切欠側面図、図７は図６に示すキャップの単体の概略底面図である。
【００１０】
本実施形態の揮散性薬剤容器１０は、図１〜図３に示すように、揮散性薬剤１１と、揮散性薬剤１１が充填される容器本体１２と、容器本体１２の開口部１３を密閉するフィルム１４と、容器本体１２の上部に取り付けられるキャップ１５と、を備え、キャップ１５と容器本体１２との間にフィルム１４を押えるための中蓋３０が設けられる。
【００１１】
揮散性薬剤１１は、液状又はゲル状等の揮散性薬剤であり、揮散性薬剤１１の有効成分としては、例えば、防虫剤、害虫忌避剤、殺虫剤、芳香剤、消臭剤等を挙げることができる。具体的には、ペニーロイヤル油、レモングラス油、オレンジ油、カシア油、ゼラニウム油、タイムホワイト油、ハッカ油、ヒバ油、ピメント油、フェンネル油、ペパーミント油、ベルガモット油、ラベンダー油、ルー油、ユーカリ油等の植物精油類の１種又は２種以上を用いることが好ましく、これらは上記用途の他にも吸血阻害効果を付与することができる。この他にも、上記植物精油類の主成分として含有されている、リモネン、ピネン、カルボン、シトロネラール、リナロール、シトラール、ゲラニオール、オイゲノール、メントール等のテルペン等を用いてもよい。有効成分はこれらに限定されず、常温で揮散しうる各種薬剤を用いることができる。この他にも、例えば、ベーパスリン、メトフルトリン、プロフルトリン、トランスフルトリン等のピレスロイド系化合物を用いてもよい。
【００１２】
また、揮散性薬剤１１には、必要に応じて、ゲル化剤（例えば、寒天、カラギナーン、ジェランガム、キサンタンガム等）、溶剤（例えば、水、アルコール、多価アルコール等）、界面活性剤（例えば、ＰＯＥ硬化ヒマシ油、ＰＯＥアルキルエーテル、ＰＯＥ・ＰＯＰブロックポリマー、ＳＧ−３（松本油脂製）等の非イオン系、脂肪族カルボン酸塩、ジアルキル硫酸塩、アルキルリン酸塩等の陰イオン系、アルキルアミン塩、第四級アンモニウム塩等の陽イオン系、アルキルベタイン等の両性系、アミン酸系、等の各種界面活性剤）、防腐剤（例えば、パラベン、ビオサイド（商品名）等）、酸化防止剤（例えば、ＢＨＴ、ＢＨＡ、ポリフェノール、ビタミン等）、着色剤（例えば、黄色、青色、赤色、緑色、紫色、橙色等）、紫外線吸収剤、消泡剤等を配合してもよい。
【００１３】
容器本体１２は、ポリエチレンテレフタレート製の薄肉状部材であり、上端部にフランジ１６を有し、このフランジ１６の内周縁に開口部１３が形成される。また、本実施形態では、フランジ１６は、外径約７５ｍｍ、内径約６３ｍｍ、板厚約１ｍｍの大きさに形成される。なお、本実施形態では、容器本体１２の材質として、揮散性薬剤の有効成分や香料などを吸着し難く、透明度が高く美観に優れたポリエチレンテレフタレートを使用したが、これに限定されず、各種合成樹脂を使用することができる。なお、夏季の載置面は場所により温度の高低があり、温度により揮散性に影響が出る場合があるので、容器本体１２に少なくとも１〜１０ｍｍの脚部又は台部を設けるようにしてもよい。
【００１４】
また、容器本体１２のフランジ１６の上端縁には、単層構造のアルミニウム製のフィルム１４が接着されており、このフィルム１４によって開口部１３は密閉されている。そして、フィルム１４は、使用の際に容器本体１２のフランジ部１６から剥がし取られる。なお、フィルム１４には、上記の他にも、積層フィルムを使用することができ、具体的には、ＰＥＴ（ポリエチレンテレフタレート）／ＡＬ（アルミニウム）／ＰＥＴシーラント、ＰＥＴ／ＰＥＴシーラント、及びＰＥＴ／ＬＬＤＰＥ（線状低密度ポリエチレン）シーラント等を挙げることができる。
【００１５】
キャップ１５は、樹脂の射出成形によって薄肉状に形成され、略四角形の板形状の天面板１７と、略四角柱状の側面板１８と、を一体的に形成するもので、天面板１７には、花びらを模した形状の揮散口１９が形成され、側面板１８には、スリット状の揮散スリット２０が幅方向に所定の間隔を存して複数形成される。
【００１６】
そして、本実施形態では、キャップ１５は、図３〜図７に示すように、側面板１８の内側面の幅方向の略中央部に、一対のリブ２１，２１をそれぞれ平行に設ける。この一対のリブ２１，２１は、天面板１７の外縁内側面から側面板１８の内側面に亘って内側方向に向かって突出形成され、その下端縁は、後述するキャップ１５の係止突部２２の第１段部２３の上端縁まで形成される。
【００１７】
また、キャップ１５は、側面板１８の内側面の高さ方向及び幅方向の略中央部に、キャップ１５を容器本体１２に取り付けるための係止突部２２を設ける。この係止突部２２は、一対のリブ２１，２１の間、且つ一対のリブ２１，２１の下端部近傍に形成される。また、係止突部２２には、その上端部に中蓋３０を保持するための第１段部２３が形成されると共に、第１段部２３の下端部に隣接するように、容器本体１２のフランジ１６を保持するための第２段部２４が形成される。なお、係止突部２２の下端部には、容器本体１２のフランジ１６との嵌合を容易にするためにテーパー面２５が形成されている。
【００１８】
中蓋３０は、ポリプロピレン製のリング形状の薄板部材であり、容器本体１２の開口部１３と略同形状の中空部３１が形成されている。この中蓋３０の中空部３１の内径は、容器本体１２の開口部１３の内径の８０％〜１００％の範囲で形成され、容器本体１２の開口部１３の内径より小さい方が好ましい。また、中蓋３０の中空部３１の面積は、容器本体１２の開口部１３の開口面積の６４％〜１００％の範囲が好ましい。また、中蓋３０の中空部３１の面積が開口部１３の開口面積の１００％であってもフィルム１４とフランジ１６との間の接着力を良好に維持するために、中蓋３０と容器本体１２のフランジ１６との重なり合う径方向の幅は、１ｍｍ〜８ｍｍの範囲が好ましい。また、中蓋３０は、キャップ１５と一体成形であっても、キャップ１５に接着されていてもよい。また、中蓋３０の材質としては、上記の他に、合成樹脂（ポリエチレン、ポリエチレンテレフタレート等）、金属、紙等を使用することができる。なお、成形性及び耐久性の観点からポリエチレン、ポリプロピレン、ポリエチレンテレフタレートが好ましい。また、本実施形態では、中蓋３０は、円形であるが、これに限定されず、三角形、四角形、台形、星形等であってもよい。さらに、本実施形態では、中蓋３０は、外径約７５ｍｍ、内径約５０ｍｍ〜６３ｍｍ、板厚約１ｍｍの大きさに形成される。
【００１９】
このように構成された揮散性薬剤容器１０では、キャップ１５の係止突起２２の第１段部２３に中蓋３０を嵌め込むことによって、中蓋３０をキャップ１５に保持させる。そして、中蓋３０を嵌めたままのキャップ１５を容器本体１２のフランジ１６に被せ、キャップ１５の係止突部２２の第２段部２４に容器本体１２のフランジ１６を嵌め込むことによって、キャップ１５を容器本体１２に取り付ける。この際、キャップ１５の一対のリブ２１，２１によって中蓋３０が容器本体１２に向かって強く押圧されるため、中蓋３０がフィルム１４を容器本体１２のフランジ１６に強く押え付け、容器本体１２の密閉性を高める。また、フィルム１４を剥がし取る場合も、中蓋３０を保持させたままキャップ１５を容器本体１２から取り外せるため、中蓋３０を紛失する等の問題は生じない。また、中蓋３０に容器本体１２の開口部１３の内径の８０％〜１００％の内径を有する中空部３１が形成されるので、所期の揮散性を得ることができる。さらに、中空部３１が形成されることで中蓋３０に特定のリング幅が形成されるので、フィルム１４は、一対のリブ２１，２１（本実施形態では４箇所）に押圧された中蓋３０によって、容器本体１２のフランジ１６の全周に亘って均一に押圧される。これにより、フィルム１４をフランジ１６に接着する接着剤の量を減らし、フィルム１４とフランジ１６との間の接着力を弱くしたとしても、容器本体１２の密閉性を維持できる。さらに、一対のリブ２１，２１に押圧されない非押圧部よりフィルム１４を剥がし易くすることができる。
【００２０】
従って、本実施形態の揮散性薬剤容器１０によれば、揮散性薬剤１１と、揮散性薬剤１１が充填される容器本体１２と、容器本体１２の開口部１３を密閉するフィルム１４と、容器本体１２の上部に取り付けられるキャップ１５と、を備え、キャップ１５と容器本体１２との間にフィルム１４を押えるための中蓋３０を設け、中蓋３０には、容器本体１２の開口部１３と略同形状の中空部３１が形成されており、中空部３１は、開口部１３の内径の８０％〜１００％の内径を有するため、フィルム１４と容器本体１２のフランジ１６との間の接着力を維持することができ、開封時には容易に開封することができると共に、容器本体１２の密閉性を長期間に亘って確保することができる。また、中蓋３０の中空部３１の内径を容器本体１２の開口部１３の内径の８０％〜１００％にするため、揮散性薬剤１１の良好な揮散性及び揮散持続性を確保することができる。
【００２１】
また、本実施形態の揮散性薬剤容器１０によれば、中蓋３０は、リング形状であり、容器本体１２の開口部１３の内径の８０％〜１００％という特定の内径を有するため、容器本体１２の内圧が上昇した際にも、中蓋３０の内周縁がフィルム１４の膨張力を受け止めるので、フィルム１４と容器本体１２のフランジ部１６との間の接着力の低下を防止することができ、接着力を確実に維持することができる。
【００２２】
また、本実施形態の揮散性薬剤容器１０によれば、キャップ１５の係止突部２２の第２段部２４に容器本体１２のフランジ１６を嵌め込むため、容器本体１２からキャップ１５が外れることを防止することができる。
【００２３】
また、本実施形態の揮散性薬剤容器１０によれば、キャップ１５の側面板１８の内側面に、一対のリブ２１，２１をそれぞれ平行に設けるため、天面板１７と側面板１８との組合せ剛性を高めることができ、キャップ１２の変形を防止することができる。
【００２４】
さらに、本実施形態の揮散性薬剤容器１０によれば、中空部３１が形成されることで中蓋３０が特定のリング幅に形成されるため、フィルム１４は、一対のリブ２１，２１に押圧された中蓋３０によって、容器本体１２のフランジ１６の全周に亘って均一に押圧される。これにより、フィルム１４をフランジ１６に接着する接着剤の量を減らし、フィルム１４とフランジ１６との間の接着力を弱くしたとしても、容器本体１２の密閉性を維持できるので、開封時には容易に開封することができる。さらに、一対のリブ２１，２１に押圧されない非押圧部よりフィルム１４を剥がし易くすることができる。
【００２５】
なお、本発明は、前述した実施形態に限定されるものではなく、適宜、変形、改良等が可能である。
例えば、本実施形態では、キャップ及び容器本体の材質に合成樹脂を使用しているが、直射日光などの熱の影響を考慮して、キャップ及び容器本体の材質に断熱性樹脂を用いたり、キャップ及び容器本体に断熱シート（例えば、アルミ箔など）を貼り付けたりしてもよい。
さらに、本実施形態では、揮散口は、花びらを模した形状に形成されるが、これに限定されず、動物模様、図形文字、キャラクター等を模した形状であってもよい。
【実施例】
【００２６】
以下に、本発明の揮散性薬剤容器１０（実施例）の作用効果を確認するために行った各試験について説明する。
【００２７】
各試験に使用する実施例、参考例、及び比較例は、図３に示すように、揮散性薬剤１１が１６０ｇ充填され、開口部１３がフィルム１４により密閉された容器本体１２と、容器本体１２に取り付けられたキャップ１５と、キャップ１５と容器本体１２との間に配置された中蓋３０と、を備える。
【００２８】
揮散性薬剤１１は、芳香剤（植物精油）５重量％、ジェランガム０．４重量％、１％乳酸カルシウム水溶液５重量％、プロピレングリコール１．５重量％を配合し、水に加えて全体を１００重量％とし、これらを加熱して均一に混合し、容器本体１２に充填した後、冷却固化させたゲル状の揮散性薬剤である。また、この揮散性薬剤１１には、防腐剤、消臭剤、抗菌剤、酸化防止剤、着色剤を適量含有させている。
【００２９】
[保管試験]
本試験では、表１に示す内径の中蓋を備える揮散性薬剤容器（実施例１〜３、参考例１〜３、及び比較例１）をそれぞれ１個ずつ用意し、それぞれをフィルムを剥がさず温度５０℃の環境温条件下に１ヶ月保存し、一ヵ月後のフィルムの状態を目視にて確認すると共に、揮散性薬剤の損失量を測定した。なお、表１中の径比は、容器本体の開口部の内径（６３ｍｍ）との径比である。結果を表１に示す。
【００３０】
【表１】
2007176529.tif 000003
【００３１】
表１から明らかなように、高い保管温度により容器本体内のヘッドスペースの空気が熱膨張したり、芳香剤の揮散により膨張して、この膨張圧力によりフィルムが膨らむが、中蓋の内径が容器本体の開口部の内径より大きい比較例１の場合には、フィルムと容器本体のフランジとの間の接着部に直接剥離させようとする力が働くため、フィルムは剥がれ傾向にある。これに対して、中蓋の内径が容器本体の開口部の内径より小さい実施例１〜３及び参考例１〜３の場合には、中蓋の内周縁によりフィルムの膨張力を受け止め、フィルムと容器本体のフランジとの間の接着部に剥離させようとする力が掛かることを防止するため、フィルムに剥がれは生じなかった。このことから、中蓋の内径を容器本体のフランジの内径以下にすることによって、フィルムと容器本体のフランジとの間の接着力を維持できることがわかった。なお、実施例及び参考例に揮散性薬剤の損失が認められるのは、容器本体を透過した水分があるためである（自然漏洩）。
【００３２】
[揮散試験]
本試験では、上記した実施例１〜３及び参考例１〜３を１個ずつ用意し、それぞれをフィルムを剥がして温度２５±２℃、湿度５０％〜７０％の環境条件下に３０日間設置し、３０日間の揮散性薬剤の揮散量を測定して、キャップに嵌めた中蓋の中空部の内径と揮散との関係を調査すると共に、上記した実施例１〜３及び参考例１〜３を２畳空間に一晩放置した後の香り強度を評価した。なお、表２中の径比は、容器本体の開口部の内径（６３ｍｍ）との径比であり、揮散性比は、中蓋を設けない揮散性薬剤容器の揮散量との比である。また、香り強度の評価基準は、４：十分な香り、３：やや弱い、２：弱い、１：かなり弱い、とする。結果を表２に示す。
【００３３】
【表２】
2007176529.tif 000004
【００３４】
表２から明らかなように、実施例１〜３の揮散性比が９８〜１００で、参考例１〜３の揮散性比が７２〜９３であることから、実施例１〜３の揮散性は非常に良好で、参考例１〜３の揮散性は良好であることがわかった。また、実施例１〜３の香り強度が４であるのに対して、参考例１〜３の香り強度が２又は３であることから、実施例の方が参考例より、揮散性及び揮散持続性が良好であることがわかった。このことから、中蓋の内径を容器本体の開口部の内径の８０％〜１００％程度にすることによって、揮散性薬剤の揮散性及び揮散持続性を良好に確保できることがわかった。
【図面の簡単な説明】
【００３５】
【図１】本発明に係る揮散性薬剤容器の一実施形態を説明するための概略斜視図である。
【図２】図１に示す揮散性薬剤容器の側面図である。
【図３】図１に示す揮散性薬剤容器の一部切欠側面図である。
【図４】図３のＡ−Ａ線矢視断面図である。
【図５】図３のＢ部拡大図である。
【図６】図１に示すキャップの単体の一部切欠側面図である。
【図７】図６に示すキャップの単体の概略底面図である。
【符号の説明】
【００３６】
１０    ゲル製品
１１    揮散性薬剤
１２    容器本体
１３    開口部
１４    フィルム
１５    キャップ
１６    フランジ
１７    天面板
１８    側面板
１９    揮散口
２０    揮散スリット
２１    リブ
２２    係止突部
２３    第１段部
２４    第２段部
２５    テーパー面
３０    中蓋
３１    中空部
【図１】
2007176529.tif 000005
【図２】
2007176529.tif 000006
【図３】
2007176529.tif 000007
【図４】
2007176529.tif 000008
【図５】
2007176529.tif 000009
【図６】
2007176529.tif 000010
【図７】
2007176529.tif 000011